(57)【特許請求の範囲】
【請求項１】
平板状のベースシートと、該ベースシートに一縁が開口部となるように設けられた袋シートとから成り、縫合糸を収納した長尺状の縫合糸ケースが前記開口部の一縁と垂直方向に複数挿入されるポケットであって、
前記袋シートと向かい合うベースシートの内側壁に、前記縫合糸ケースを袋シートに対して弾性的に押圧する複数の内袋を設けたポケット。
【請求項２】
平板状のベースシートと、該ベースシートに一縁が開口部となるように設けられた袋シートとから成り、縫合糸を収納した長尺状の縫合糸ケースが前記開口部の一縁と垂直方向に複数挿入されるポケットであって、
前記ベースシートと向かい合う袋シートの内側壁に、前記縫合糸ケースをベースシートに対して弾性的に押圧する複数の内袋を設けたポケット。
【請求項３】
平板状のベースシートと、該ベースシートに一縁が開口部となるように設けられた袋シートと、該ベースシートと袋シートとの間の内部空間をベースシートの平面に沿って分割する第２のシートとから成り、縫合糸を収納した長尺状の縫合糸ケースが前記分割された２つの内部空間に複数挿入されるポケットであって、
前記ベースシートの第２のシートと向かい合う内壁に及び又は袋シートの第２のシートと向かい合う内壁に、前記縫合糸ケースを第２のシートに対して弾性的に押圧する複数の内袋を設けたポケット。
【請求項４】
平板状のベースシートと、該ベースシートに一縁が開口部となるように設けられた袋シートと、該ベースシートと袋シートとの間の内部空間をベースシートの平面に沿って分割する第２のシートとから成り、縫合糸を収納した長尺状の縫合糸ケースが前記分割された２つの内部空間に複数挿入されるポケットであって、
前記第２のシートのベースシートと向かい合う内壁及び又は第２のシートの袋シートと向かい合う内壁に、前記縫合糸ケースをベースシート及び又は袋シートに対して弾性的に押圧する複数の内袋を設けたポケット。
【請求項５】
前記内袋が、内部に弾性復元力を有するスポンジを収納した請求項１から４何れかに記載のポケット。
【請求項６】
前記内袋が、内部に、気体又は液体を密閉的に収納した請求項１から４何れかに記載のポケット。
【請求項７】
前記内袋により押圧される袋シート又はベースシートの押圧箇所に棒状又はボール状の突出部を有する請求項１から６何れかに記載のポケット。
【請求項８】
前記内袋により押圧される第２のシートの押圧箇所に棒状又はボール状の突出部を有する請求項３から６何れかに記載のポケット。
【請求項９】
前記袋シートをベースシートの平面に押し付ける弾性力を有するゴムバンドを設けた請求項１から８何れかに記載のポケット。
【請求項１０】
前記袋シートが、光を透過する透明材料により形成された請求項１から９何れかに記載のポケット。
【発明の詳細な説明】
【技術分野】
【０００１】
本発明は、手術用の縫合糸を入れたケースを一時的に収納して、該縫合糸を使用に供するためのポケットに関するものである。 
【背景技術】
【０００２】
図３は、縫合糸ケース、および、これを収納する医療用ポケットの公知技術の例を説明するために示したものであって、（Ａ）は縫合糸１を入れた紙製等のケース２′の外観正面図、（Ｂ）は上記紙製等のケース２′を半ば開いた状態の外観正面図、（Ｃ）は、上記紙製等のケース２′の多数を収納したポケットの２例を描いた外観正面図である。
この例の縫合糸ケースは紙製であるが、ＰＰ（ポリプロピレン）製、ＰＥＴ（ポリエチレンテレフタレート）製なども広く用いられている。
【０００３】
図４は前掲の図３以外の公知例に係る縫合糸ケースを示す。図４（Ａ）に描かれた縫合糸ケース（略称ケース）２Ａ、（Ｂ）に描かれたケース２Ｂ、および（Ｃ）に描かれたケース２Ｃは図３におけると類似の縫合糸ケースである
図４（Ｄ）に描かれたケース２Ｄは、台紙２Ｄａと透明カバー２Ｄｂとから成り両者の間に縫合糸１が収納されている。上記の透明カバー２Ｄａを折り目２Ｄｃで折り曲げると縫合糸１を容易に１本ずつ抜き取ることができる。
【０００４】
（図３（Ａ）参照）この例のケースは、三つ折りにした厚紙製であって、多数の縫合糸（１）が入れられている。
紙製ケース２′を片手で持って、他方の手の指で縫合糸１を摘まんで引っ張ると、該縫合糸１が抜け出すようになっている。このため、正常な使用状態では該紙製ケース２′を開くことが無い。
これら各種の縫合糸ケースには、内容物である縫合糸の寸法・数量・色調・材質等が、文字や記号や色マークで表示されている。
【０００５】
構造を説明するために、三つ折りにされている紙製ケース２′の裏紙２ｂを開くと、図３（Ｂ）に実線で描いたようになる。符号２ａを付して示したのは表紙である。
この状態から、更に台紙２ｃをひらくと、仮想線で描いた２ｆのようになる。
実線で描かれた台紙２ｃに、長さ約４０センチメートルの縫合糸１が一巻き半されている。
この紙製ケース２′を（Ａ）図のように折り畳んだ状態に保つため、裏紙２ｂに舌片２ｄが設けられている。一方台紙２ｃには、該舌片に係合する切込２ｅが設けられている。  先に述べたように、縫合糸１用のケースは必ずしも紙製とは限らないので、次に示す図３（Ｃ）および図１においては、符号２によってケース（材質不問）を表すことにする。  
【０００６】
たいていの手術において、各種（材質，太さ，色調，撚り方など）の縫合糸を必要とする。このため、図３（Ｃ）に示したようなポケット３に各種の縫合糸が入れられたケース２の多数が収納されて、手術における縫合糸の使用に供される。
図３（Ｃ）の左半部は袋シート３ｂによって１段形の袋状部を形成している例であり、
右半部は、１段袋シート３ｃと２段袋シート３ｄとによって２段形の袋状部を形成している例である。
それぞれの袋状部にケース２が差し込まれて、その上端部分を露出させている。
【特許文献１】特開２００４−２１５７８６号公報
【発明の開示】
【発明が解決しようとする課題】
【０００７】
図３（Ａ）に示したケースの構造および縫合糸の巻き付け状態から理解できるように、ケースから縫合糸を抜き出すには若干の力を要する。
このため、図３（Ｃ）に示した従来例のポケットに収納されている縫合糸１の１本を摘まんで引き抜こうとすると、ケース２が抜け出してくる。
従って、縫合糸１を引き抜く際は、片手でケース２を押さえながら、他方の手の指で縫合糸を摘まむとか、
予めクリップで、ポケット３の上からケース２を挟みつけておくとか、何らかの手段を講じなければならない。
【０００８】
片手でケースを押さえなければならない場合は、縫合糸の引き抜き動作が著しく制約される。
また、予めクリップでケースを挟みつけておく場合は、縫合糸の種類を入れ替えるのに
多大の時間と労力とを要する。
従来技術によっては、イ．ケースをポケットの中へ自在に出し入れするということと、
ロ．１本の縫合糸を摘まんで迅速容易に引き抜くこととが、どうしても両立しなかった。  本発明は上述の事情に鑑みてなされたものであって、その目的とするところは、
縫合糸のケースを自在に差し込んだり抜き出したりすることができ、しかも、縫合糸の１本を摘まんで迅速容易に引き抜くことのできる医療用の縫合糸ポケットを提供するにある。
ただし本発明は必ずしも縫合糸に限らず、チューブやテープの収納に応用することも可能である。
【課題を解決するための手段】
【０００９】
前記目的を達成するため本発明は、平板状のベースシートと、該ベースシートに一縁が開口部となるように設けられた袋シートとから成り、縫合糸を収納した長尺状の縫合糸ケースが前記開口部の一縁と垂直方向に複数挿入されるポケットであって、前記袋シートと向かい合うベースシートの内側壁に、前記縫合糸ケースを袋シートに弾性的に押圧する複数の内袋を設けたことを第１の特徴とする。
【００１０】
また本発明は、平板状のベースシートと、該ベースシートに一縁が開口部となるように設けられた袋シートとから成り、縫合糸を収納した長尺状の縫合糸ケースが前記開口部の一縁と垂直方向に複数挿入されるポケットであって、前記ベースシートと向かい合う袋シートの内側壁に、前記縫合糸ケースをベースシートに対して弾性的に押圧する複数の内袋を設けたことを第２の特徴とする。
【００１１】
また本発明は、平板状のベースシートと、該ベースシートに一縁が開口部となるように設けられた袋シートと、該ベースシートと袋シートとの間の内部空間をベースシートの平面に沿って分割する第２のシートとから成り、縫合糸を収納した長尺状の縫合糸ケースが前記分割された２つの内部空間に複数挿入されるポケットであって、
前記ベースシートの第２のシートと向かい合う内壁に及び又は袋シートの第２のシートと向かい合う内壁に、前記縫合糸ケースを第２のシートに対して弾性的に押圧する複数の内袋を設けたことを第３の特徴とする。
【００１２】
また本発明は、平板状のベースシートと、該ベースシートに一縁が開口部となるように設けられた袋シートと、該ベースシートと袋シートとの間の内部空間をベースシートの平面に沿って分割する第２のシートとから成り、縫合糸を収納した長尺状の縫合糸ケースが前記分割された２つの内部空間に複数挿入されるポケットであって、
前記第２のシートのベースシートと向かい合う内壁及び又は第２のシートの袋シートと向かい合う内壁に、前記縫合糸ケースをベースシート及び又は袋シートに対して弾性的に押圧する複数の内袋を設けたことを第４の特徴とする。
【００１３】
また本発明は、前記第１から第４何れかの特徴のポケットにおいて、前記内袋が、内部に弾性復元力を有するスポンジを収納したことを第５の特徴とする。
【００１４】
また本発明は、前記第１から第５何れかの特徴のポケットにおいて、前記内袋が、内部に、気体又は液体を密閉的に収納したことを第６の特徴とする。
【００１５】
また本発明は、前記第１から６何れかの特徴のポケットにおいて、前記内袋により押圧される袋シート又はベースシートの押圧箇所に棒状又はボール状の突出部を有することを第７の特徴とする。
また本発明は、前記第３から６何れかの特徴のポケットにおいて、前記内袋により押圧される第２のシートの押圧箇所に棒状又はボール状の突出部を有することを第８の特徴とする。
【００１６】
また本発明は、前記何れかの特徴のポケットにおいて、前記袋シートをベースシートの平面に押し付けるゴムバンドを設けたことを第９の特徴とする。
【００１７】
また本発明は、前記何れかの特徴のポケットにおいて、前記袋シートが、光を透過する透明材料により形成されたことを第１０の特徴とする。
【発明の効果】
【００２５】
本発明によるポケットは、ベースプレート及び又は袋シートの内壁に縫合用ケースを他壁に弾性力をもって押し付ける内袋を設けたことによって、縫合用ケースから縫合糸が抜かれるとき、前記縫合用ケースがポケットから引き出されることを前記内袋の押圧力によって阻止するため、縫合糸のみを取り出すことができる。
【００２６】
また本発明によるポケットは、前記内袋が、内部に弾性復元力を有するスポンジ又は気体又は液体等の任意のものを選択することができ、前記２段袋シートの前記内袋が押圧される押圧部分に管状又は棒状又はボール状の突出部を設けたことにより、内袋に与える摩擦力を前記突出部に集中することができ、ゴムバンドを設けたことにより、縫合糸ケースがポケットから抜けることを更に確実に防止することができ、前記袋シートを透明材料にすることにより縫合糸ケースを外部から容易に確認することができる。
【発明を実施するための最良の形態】
【００３３】
図１は本発明の１実施形態に係る医療用ポケットを示し、袋状部に縫合糸ケースを差し込んで収納した状態の一部分を破断して描いた斜視図である。
前掲の図３（Ｃ）に示した従来例の医療用ポケットに比して異なるところ、すなわち、本発明を適用して改良した構成部分はつぎのとおりである。
袋シート３ｂの内側に、内袋４が設けられている。
【００３４】
この内袋の材質は限定されないが、柔軟（フレキシブル）なシートで構成されることが望ましい。本例においては、柔軟な合成樹脂シートを用いて内袋４を構成した。
上記の袋シート３ｂを、透明な材料で構成しておくと、縫合糸のケース２に印刷されている銘柄、記号を目視できるので便利である。
なお、符号３ｅを付して示したのは、袋状部の入口に設けた袋シート折返しである。
【００３５】
前記内袋４の中にスポンジ５を充填する。これにより、ケース２が差し込まれる袋状部の途中が狭くなる。
単に狭くなるというだけではなく、柔軟な膨出部によって、部分的に狭くなっている。このため、ケース２を差し込む際に若干の抵抗を感じるが、別段の支障は生じない。
これを製作面から考察すると、内袋４の寸法形状およびスポンジ５の詰め込み加減を適宜にして、「ケース２の抜き差しに支障を生じない程度の抵抗を生じる」ようにする。
この状態（図１）で、縫合糸１の１本を指先で摘まんで引き上げると、ケース２をポケットの袋状部内に残して、縫合糸だけがケース２から抜き出される。 
【００３６】
上記の構造機能から容易に理解されるように、この実施形態の医療用ポケットが所期の効果を発揮するのは、内袋４が弾力的にケース２に接触するからである。
内袋４の中にスポンジ５を入れるのは、該内袋４を柔らかく膨らませるためである。
こうしたメカニズムに着目すると、内袋４の中へ入れるのは必ずしも狭義のスポンジに限らないことが理解される。
本発明において内袋の中へ入れるのは、スポンジに類似する物体（例えば綿、ウール、糸屑など）であっても良い。本発明においてスポンジとは「弾力的に変形し得る柔らかい物体」をいう。スポンジ類とは更に広義であって、スポンジに類似する物理的性状を有する部材を総称する意である。
【００３７】
図１の実施形態におけるスポンジ５を、「スポンジに類似する物体（スポンジ類）」で代替し得ることは以上にのべたとおりであるが、このスポンジ５に代替し得るものは更に広い。
図示を省略するが、前記内袋の密封性を良くすれば、該内袋の中に空気や水を充填しても同様の効果を奏する。
その他、ワセリン、ゼリーなど、流動性の物質を充填することも可能である。
【００３８】
この図１の縮尺では描き表されなかったが、内袋４の表面（ベースシートに対向している側の面）には微細な凹凸が形成されている。このように構成すると、ケースに対する内袋表面の摩擦係数を調節して適宜の手応えを得ることができる（摩擦係数が少なすぎるとケース２が抜け落ち易く、摩擦係数が大きすぎるとケースの差し込み操作が容易でなくなるので、適宜の摩擦係数であることが望ましい）。
【００３９】
図２は本発明に係る４種類の実施形態及び参考例を示し、（Ａ）は前掲の図１の医療用ポケットの模式的な断面図、（Ｂ）は本発明の医療用ポケットの内袋部分を「袋シートの部分を折り畳んだもの」によって代替した参考例を示す模式的な参考断面図、（Ｃ）は本発明の医療用ポケットの袋シートが複数段形成されたものの第１例を示す模式的な断面図、（Ｄ）は本発明の医療用ポケットの袋シートが複数段形成されたものの第２例を示す模式的な断面図、（Ｅ）は本発明の医療用ポケットに管もしくは棒又はボールを設けた例を示す模式的な断面図である。
【００４０】
図２（Ａ）は、図１に現れている断面を模式的に描いてあり、作図・読図し易いようにシート状部材の厚さ方向に拡大してある（シートを実物よりも厚く描き、袋状部の内腔を実物よりも広く描いてある）。 
上記のようにして袋状部の一部分を狭くする代りに、図２（Ｂ）は袋シート３ｂの一部分を折り畳んで、符号６を付した折畳み部を形成してある。この（Ｂ）図の構成によると、（Ａ）図ほどではないが、これに類似する効果が得られた。
【００４１】
図３（Ｃ）の従来例の右半部に示したような２段形のポケットにおいては、図２（Ｃ）に示すように、１段袋シート３ｃ，２段袋シート３ｄのそれぞれに（その内側に）内袋４を設ける。この例では、２個の内袋４を段違いに配設してあるが、図２（Ｄ）のように２個の内袋４を対向させて配置しても良い。
この（Ｄ）図のように、２段袋シート３ｄの下端部（鎖線で示す）を省略することもできる（１段袋が有るから、２段袋が底抜けであっても実害は無い。
【００４２】
図２（Ｅ）は図２（Ｄ）の改良例である。内袋４に対向せしめて管又は棒７を設けてある。この断面図には小さい円形として現れているが、紙面と直角方向に長さを有するパイプまたはバーである。本例においては細いビニールパイプを用いた。  このように管又は棒７を配設すると、内袋４による縫合糸ケース（本図において図示省略）の圧迫力を局部的に集中させて、縫合糸ケースの保持を確実ならしめる。圧迫力集中が過度になると、該縫合糸ケースの抜き差しを妨げるので、試作実験によって管又は棒７の最適形状寸法を求めることが望ましい。
前記の管又は棒７に代えてボールを用いることもできる。
【００４３】
図には表されていないが、内袋４の外周面に梨地処理を施したりエンボス加工を施したりして、微小な凹凸を設けると摩擦係数が増加する。このようにして摩擦力を制御し、適正なケース保持力が得られるようにすると良い。
【００４４】
図５は、前掲の図１、図２と異なる実施形態における使用状態を描いてある。
本前記実施形態のベースプレート７は合成樹脂材料で構成され、格別に硬質であることは要しないが、適宜の剛性を有している。
（図５（Ａ）参照）ゴムバンド９が水平に配設され、その両端部をベースプレート７に取り付けられるとともに、中間のＮ箇所（Ｎは正の整数、本例では３箇所）をベースプレート７に止め付けられている。 
【００４５】
取り付け、止め付けの手段は、接着、埋め込み、又は針刺し（ホッチキス）を適宜に選定して適用する。
これにより、ケースを差し込める部分がＮ＋１箇所形成される。
図５（Ａ）はＮ＝３であるから４箇所の差し込み部が形成されており、その内の３箇所にケース２Ａ、ケース２Ｂ、およびケース２Ｃが差し込まれて保持されている。
【００４６】
図５のようにしてケースを保持することができるのは、ベースプレート７が剛性を有していて、ゴムバンド９に若干のテンションを与え得るからである。 
本発明におけるゴムバンドの「ゴム」とは、ゴム状の弾性を有する物質の総称であり、狭義のゴムに限らず、ウレタン等の合成樹脂材を用いることもできる。
この原理を応用して、ゴム状弾性を示す金属部材（例えば細長いコイルスプリング）を用いても本発明の技術的範囲に属する。  
【００４７】
図５（Ｂ）は前記と異なる実施形態を示す。本例では、２本のゴムバンド９を平行に並べて配置してある。
これを前記（図５（Ａ））実施形態に比べると一長一短であって、（Ｂ）の方がケースを確実に保持することができ、（Ａ）の方がケースを差し込む操作が容易である。
いずれを選ぶかは使用者の判断に委ねることになるが、製造技術者の立場から見れば、ユーザーに対して選択の自由を与えて実用的効果を発揮させることも、医療用器具製造産業の発展に寄与する途である。 
【００４８】
図５（Ｃ）は更に異なる実施形態である。前記の実施形態（図５（Ａ）、（Ｂ））がゴムバンド９を用いたのに代えて、広幅ゴムベルト１０を用いてある。
本発明における広幅とは、厚さ寸法ｔに比して幅寸法Ｗが３倍以上の部材を言う。
このような広幅ゴムベルトは、前掲の図４（Ｄ）に例示したケース２Ｄのように幅広で比較的大重量のケースに好適である。
【図面の簡単な説明】
【００４９】
【図１】本発明の請求項１又は請求項２に対応する実施形態における医療用ポケットを示し、袋状部に縫合糸ケースを差し込んで収納した状態の一部分を破断して描いた斜視図。
【図２】本発明に係る４種類の実施形態及び参考例を示す。（Ａ）は前掲の図１に描かれた実施形態における医療用ポケットの模式的な断面図、（Ｂ）は本発明の医療用ポケットの内袋部分を「袋シートの部分を折り畳んだもの」によって代替した参考例における模式的な断面参考図、（Ｃ）は本発明の医療用ポケットの袋シートが複数段形成されたものの第１例における模式的な断面図、（Ｄ）は本発明の医療用ポケットの袋シートが複数段形成されたものの第２例における模式的な断面図、（Ｅ）は本発明の医療用ポケットに管もしくは棒又はボールを設けた例における模式的な断面図。
【図３】縫合糸ケースおよび医療用ポケットの公知技術を説明するために示したものであって、（Ａ）は縫合糸１を入れた紙製ケース２′の外観正面図、（Ｂ）は上記紙製ケース２′を半ば開いた状態の外観正面図、（Ｃ）は、上記紙製ケース２′の多数を収納した医療用ポケットの２例を描いた外観正面図。
【図４】各種の縫合糸ケース（公知）を描いた正面図。
【図５】本発明の請求項７または請求項８に対応する実施形態を示し、（Ａ）は請求項７に対応する模式的な斜視図、（Ｂ）は請求項８におけるゴムバンドの数が複数である場合の模式的な斜視図、（Ｃ）は請求項８におけるゴムバンドが広幅のシート状である場合の模式的な斜視図。
【符号の説明】
【００５０】
１…縫合糸
２，２Ａ，２Ｂ，２Ｃ，２Ｄ…ケース
２′…紙製ケース
２ａ…表紙
２ｂ…裏紙
２ｃ…台紙
２ｄ…舌片
２ｅ…切込み 
２Ｄａ…台紙
２Ｄｂ…透明カバー
２Ｄｃ…折り目
３…ポケット 
３ａ…ベースシート 
３ｂ…袋シート 
３ｃ…１段袋シート 
３ｄ…２段袋シート 
３ｅ…折返し 
４…内袋   
５…スポンジ類 
６…折り畳み部 
７…管もしくは棒またはボール 
８…透明カバー
９…ゴムバンド
１０…広幅ゴムベルト
【図１】
0004147224.tif 000002
【図２】
0004147224.tif 000003
【図３】
0004147224.tif 000004
【図４】
0004147224.tif 000005
【図５】
0004147224.tif 000006